(57)【要約】【課題】キー構造体の小型化を実現する。【解決手段】キー構造体（９）は、筐体（２）内であって、キー用貫通孔（６）の下方に配置されたキースイッチ（４）と、キースイッチ（４）の上方を覆う板状の上部（１１）を含むシリコーンゴム（１０）と、キー用貫通孔（６）に挿通され、上部（１１）を直接押圧することで、上部（１１）を介してキースイッチ（４）を押圧するキートップ（３）とを備えている。【選択図】図１
2017208199.tif 000002
【特許請求の範囲】
【請求項１】
電子機器の筐体に形成されたキー用貫通孔に挿入されるキー構造体であって、
上記筐体内であって、上記キー用貫通孔の下方に配置されたキースイッチと、
上記キースイッチの上方を覆う板状の上部を含む弾性部材と、
上記キー用貫通孔に挿通され、上記上部を直接押圧することで、当該上部を介して上記キースイッチを押圧するキートップとを備えていることを特徴とするキー構造体。
【請求項２】
上記弾性部材は、上記上部を支持すると共に、上記キースイッチの側方を囲む側部を含むことを特徴とする請求項１に記載のキー構造体。
【請求項３】
上記弾性部材の内部には、当該弾性部材の形状を保持するための芯部材が配置されていることを特徴とする請求項１又は２に記載のキー構造体。
【請求項４】
上記芯部材は、上記弾性部材の上部内に配置されている当該芯部材の上部を有し、
上記芯部材の上記上部には、開口部が形成されていることを特徴とする請求項３に記載のキー構造体。
【請求項５】
上記開口部は、上記キートップよりも面積が大きく、
上記キートップは、上記開口部と重なる位置に配置されていることを特徴とする請求項４に記載のキー構造体。
【請求項６】
上記芯部材の上記上部は、楕円形状であることを特徴とする請求項４又は５に記載のキー構造体。
【請求項７】
上記芯部材の上記上部を支持する側部は、長辺方向に延伸し互いに対向する第１側部及び第２側部と、短辺方向に延伸し互いに対向する第３側部及び第４側部を有することを特徴とする請求項３〜５の何れか１項に記載のキー構造体。
【請求項８】
上記芯部材の上記上部を支持する側部は、長辺方向に延伸し互いに対向する第１側部及び第２側部と、短辺方向に延伸する第３側部とを有し、当該第３側部と対向する領域には、当該芯部材が配置されていないことを特徴とする請求項３〜５の何れか１項に記載のキー構造体。
【請求項９】
上記芯部材の側部は、長辺方向に延伸し互いに対向する第１側部及び第２側部を有し、上記第１側部及び第２側部の両端部間にはそれぞれ上記芯部材が配置されていないことを特徴とする請求項３〜５の何れか１項に記載のキー構造体。
【請求項１０】
上記芯部材における上記開口部の縁は、断面が、上記弾性部材の上記上部に近づく方向に突出する湾曲した形状であることを特徴とする請求項４又は５に記載のキー構造体。
【請求項１１】
請求項１〜１０の何れか１項に記載のキー構造体を有することを特徴とする電子機器。
【発明の詳細な説明】
【技術分野】
【０００１】
本発明は、キートップとキースイッチを筐体に取り付けるためのキー構造体、及び、電子機器に関する。
【背景技術】
【０００２】
特許文献１には、押圧型のスイッチ構造であるキー構造体が設けられた携帯端末が開示されている。上記携帯端末に設けられたキー構造は、筐体内に配置されたキースイッチと、筐体に形成されたキー用貫通孔内に配置されたキートップと、キートップとキースイッチとの間に配置された押し子とを有する。押し子は、キートップが押圧される方向に延伸している。そして、キートップが、ユーザなどによって押圧されると、当該キートップによって押し子がキースイッチと接触する。これによって、キースイッチが押圧される。
【先行技術文献】
【特許文献】
【０００３】
【特許文献１】特開２０１３−２５８０８８号公報（２０１３年１２月２６日公開）
【発明の概要】
【発明が解決しようとする課題】
【０００４】
ここで、近年、携帯端末などの電子機器は、小型化や薄型化が要求されている。特許文献１に記載のキー構造では、キートップが押圧されると、当該キートップは、押し子を介してキースイッチを押圧している。このため、筐体の外側面からキースイッチまでの距離が長い構成となっている。このように、特許文献１に記載のキー構造体は大きいため、当該キー構造体が配置される電子機器の小型化を阻害してしまうことになる。
【０００５】
本発明は、上記の問題点に鑑みてなされたものであり、その目的は、キー構造体の小型化を実現することにある。
【課題を解決するための手段】
【０００６】
上記の課題を解決するために、本発明の一態様に係るキー構造体は、電子機器の筐体に形成されたキー用貫通孔に挿入されるキー構造体であって、上記筐体内であって、上記キー用貫通孔の下方に配置されたキースイッチと、上記キースイッチの上方を覆う板状の上部を含む弾性部材と、上記キー用貫通孔に挿通され、上記上部を直接押圧することで、当該上部を介して上記キースイッチを押圧するキートップとを備えていることを特徴とする。
【発明の効果】
【０００７】
本発明の一態様によれば、キー構造体の小型化を実現するという効果を奏する。
【図面の簡単な説明】
【０００８】
【図１】図２に示すＩ‐Ｉ線断面図である。
【図２】本発明の実施形態１に係るスマートフォンの外観を示す図である。
【図３】本発明の実施形態１に係るキー構造体のシリコーンゴムの内部に配置される枠体の構成を表す斜視図である。
【図４】本発明の実施形態１に係るキー構造体のシリコーンゴム及び枠体の構成を表す斜視図である。
【図５】本発明の実施形態１に係るキー構造体のシリコーンゴム及び枠体の構成を表す平面図である。
【図６】本発明の実施形態１に係るキー構造体の構成を表す斜視図である。
【図７】本発明の実施形態２に係るキー構造体の構成を表す断面図である。
【図８】本発明の実施形態３に係るキー構造体のシリコーンゴム及び枠体の構成を表す平面図である。
【図９】本発明の実施形態４に係るキー構造体のシリコーンゴム及び枠体の構成を表す平面図である。
【図１０】本発明の実施形態５に係るキー構造体のシリコーンゴム及び枠体の構成を表す平面図である。
【発明を実施するための形態】
【０００９】
〔実施形態１〕
図２は、本発明の実施形態１に係るスマートフォン１の外観を示す図である。図２では、スマートフォン１の外観の正面を表している。図２に示すように、スマートフォン１は、正面側に例えばタッチパネルを含む液晶表示部を収容する筐体２を有する。この筐体２は、正面側のキャビネットと背面側のキャビネットとが厚さ方向で分割されるような構造ではなく、１つの樹脂成形品よりなる。
【００１０】
以下に説明する実施形態では、本発明の実施形態に係るキー構造体９が、電子機器としてスマートフォン１に設けられた例を説明する。しかしながら、キー構造体９を適用することが可能な電子機器は、スマートフォン１に限定されず、例えば、携帯電話機、タブレット端末、ＰＨＳ（Personal Handy-phone System）、ＰＤＡ（Personal Digital Assistant）、パソコン、モバイルツール、電子辞書、電卓、およびゲーム機等を挙げることができる。
【００１１】
図１は、図２に示すＩ‐Ｉ線断面図である。図３は、本発明の実施形態１に係るキー構造体９のシリコーンゴム１０の内部に配置される枠体２０の構成を表す斜視図である。図４は、本発明の実施形態１に係るキー構造体９のシリコーンゴム１０及び枠体２０の構成を表す斜視図である。図５は、本発明の実施形態１に係るキー構造体９のシリコーンゴム１０及び枠体２０の構成を表す平面図である。図６は、本発明の実施形態１に係るキー構造体９の構成を表す斜視図である。
【００１２】
図１及び図６に示すように、キー構造体９は、スマートフォン１の筐体２に形成されたキー用貫通孔６に挿入されている。キー構造体９は、筐体２内であって、キー用貫通孔６の下方に配置されたキースイッチ４と、キースイッチ４の上方を覆う板状の上部１１を含むシリコーンゴム１０と、キー用貫通孔６に挿通され、シリコーンゴム１０の上部１１を直接押圧することで、シリコーンゴム１０の上部１１を介してキースイッチ４を押圧するキートップ３とを少なくとも備えている。
【００１３】
図１の矢印Ｙ１に示すように、ユーザがキートップ３を押圧すると、キートップ３はシリコーンゴム１０の上部１１を直接、押圧する。これにより、シリコーンゴム１０の上部１１が撓む。そして、このシリコーンゴム１０の上部１１を介して、キートップ３は、シリコーンゴム１０の上部１１を介してキースイッチ４を押圧する。このように、キートップ３と、キースイッチ４との間に押し子を配置せず、キートップ３は、シリコーンゴム１０の板状の上部１１を介してキースイッチ４を押圧する。このため、キー構造体９を薄型化することができる。
【００１４】
また、キー構造体９は、押し子を用いていないため、押し子の潰れや倒れに起因するキークリックの感触のばらつきを抑えることができる。換言すると、キー構造体９は、キートップ３と、キースイッチ４との間に配置されている部材は、板状のシリコーンゴム１０の上部１１のみであるため、キークリックの感触が変化し難い。このため、キークリックの感触のばらつきを抑えることができる。
【００１５】
そして、シリコーンゴム１０は弾性材料からなるため、図１の矢印Ｙ２に示すように、撓んだシリコーンゴム１０の上部１１は、キートップ３に対し、押し上げる方向へ反力を加える。そして、キートップ３は元の位置に戻る。このように、キー構造体９によると、スムーズにキースイッチ４の押圧を繰り返すことができる。
【００１６】
なお、特許文献１に記載されたキー構造体では、押し子が押圧された際、押し子から側方へ突出するシリコーンゴムが元に戻ろうとする反力によって押し子を押し上げるだけである。
【００１７】
一方、本実施形態に係るキー構造体９によると、板状のシリコーンゴム１０の上部１１全体が元に戻ろうとする反力をキートップに加えるため、特許文献１に記載されたキー構造体よりも、本実施形態に係るキー構造体９の方が、キートップ３に加わる反力が大きい。このため、よりスムーズに、キー構造体９を元の押圧される前の状態に戻すことができる。
【００１８】
さらに、キートップ３は、押し子を介さず、板状のシリコーンゴム１０の上部１１のみを介して、キースイッチ４を押圧するため、キースイッチ４への力の加わり方が大きい。
【００１９】
このように、本実施形態に係るキー構造体９によると、薄型化できるだけでなく、さらに、利便性が高いキー構造体を構成することができる。
【００２０】
キー構造体９は、さらに、シリコーンゴム１０の形状を保持するための枠体（芯部材）２０を備えている。
【００２１】
キースイッチ４は、押圧式のスイッチである。キースイッチ４は基板と一体的に構成されている。キースイッチ４は、スイッチ部４ａを有している。キースイッチ４は、スイッチ部４ａが押圧されることでスイッチとして機能する。キースイッチ４のうち、少なくともスイッチ部４ａは、キートップ３の下方に配置されている。これにより、シリコーンゴム１０の上部１１を介してキートップ３によりスイッチ部４ａが押圧される。キースイッチ４はキーホルダ８に固定されている。
【００２２】
キーホルダ８は、当該キーホルダ８を筐体２に固定するためのピン７に固定されている。ピン７は筐体２に固定されている。ピン７は金属材料などからなる。キーホルダ８は、キースイッチ４が押圧された際の押さえ（壁）としての役割を果たす。キーホルダ８は、例えば、ＰＣ（ポリカーボネート）、ＡＢＳ（アクリロニトリル-ブタジエン-スチレン）などの樹脂材料から構成することができる。
【００２３】
図１、図４〜図６に示すように、シリコーンゴム１０は枠体２０を覆っている。シリコーンゴム１０は、キースイッチ４のスイッチ部４ａをキートップ３から保護すると共に、キースイッチ４を防水する。シリコーンゴム１０は弾性部材である。なお、シリコーンゴム１０は、当該弾性部材の一例であり、シリコーン以外のゴム、または、ＰＣ（ポリカーボネート）、ＡＢＳ（アクリロニトリル-ブタジエン-スチレン）などの樹脂材料から構成されていてもよい。
【００２４】
シリコーンゴム１０は、天井である上部１１に加え、さらに、板状の基部１５と、基部１５から起立し上部１１を支持する側部１２と、側部１２から突出する凸部１３とを備えている。シリコーンゴム１０は、基部１５から、側部１２および上部１１が突出する凸形状となっている。
【００２５】
シリコーンゴム１０の側部１２はキースイッチ４の側方を囲っており、さらに、この側部１２によって支持されているシリコーンゴム１０の上部１１は、キースイッチ４の上方を覆っている。これにより、キースイッチ４を防水することができる。
【００２６】
凸部１３は、シリコーンゴム１０の側部１２の表面に配置され、シリコーンゴム１０の周囲を一周するように延伸している。凸部１３は、頭頂部が、筐体２の内面と接触している。これにより、凸部１３は防水機能を果たす。すなわち、筐体２に形成されたキー用貫通孔６から、筐体２内に液体が進入したとしても、凸部１３によって、当該液体が、キースイッチ４に付着してしまうことを防止することができる。
【００２７】
シリコーンゴム１０は、金型に枠体２０をセッティングして液状のシリコーンゴムを流し、当該液状のシリコーンゴムを硬化させることで、枠体２０の表面全体を包んで形成される。シリコーンゴム１０は枠体２０を包むことによって形状が保持されている。
【００２８】
図１及び図６に示すように、キートップ３は、キー用貫通孔６内に挿入されている。キートップ３は、シリコーンゴム１０の上部１１の上面に、両面テープまたは接着剤などによって貼り付けられることで固定されている。キートップ３は、例えば、樹脂材料またはアルミニウムなどの材料からなる。一例として、平面視したときのキートップ３の形状は楕円形状である。キートップ３は、枠体２０の上部２１に形成された開口部２１ａよりも面積が小さい。
【００２９】
図１、図４〜図６に示すように、枠体２０は、シリコーンゴム１０の内部に配置されている。枠体２０は、天井である上部２１と、板状の基部２５と、基部２５から起立し上部２１を支持する側部２２とを備えている。上部２１は、シリコーンゴム１０の上部１１内に配置されており、基部２５はシリコーンゴム１０の基部１５内に配置されており、側部２２はシリコーンゴム１０の側部１２内に配置されている。枠体２０がシリコーンゴム１０の内部に配置されていることで、シリコーンゴム１０の形状が保持されている。枠体２０は、シリコーンゴム１０の骨格として機能すればよく、ＳＵＳ，アルミニウム，マグネシウムなどの金属材料、ＰＣ（ポリカーボネート），ＡＢＳ（アクリロニトリル-ブタジエン-スチレン）などの樹脂材料などの硬質の材料によって構成することができる。
【００３０】
図１、図３〜図６に示すように、枠体２０の上部２１には開口部２１ａが形成されている。本実施形態においては、枠体２０の上部２１は楕円形状である。
【００３１】
開口部２１ａは、キートップ３よりも面積が大きい。そして、キートップ３は、開口部２１ａと重なる位置に配置されている。このため、キートップ３は、押圧された際、枠体２０の上部２１における開口部２１ａを構成する縁とは干渉しない。これにより、ユーザに押圧されたキートップ３は、枠体２０の上部２１に形成された開口部２１ａを通して、シリコーンゴム１０の上部１１を介してキースイッチ４をスムーズに押圧することができる。
【００３２】
このように、キー構造体９によると、シリコーンゴム１０の形状を枠体２０によって保持しつつ、ユーザに押圧されたキートップ３が、シリコーンゴム１０の上部１１を介してキースイッチ４を押圧することができる。
【００３３】
枠体２０は、開口部２１ａの縁を構成し、板状部材が折り返された折り返し部２３ａ〜２３ｄを有している。折り返し部２３ａ・２３ｂは、側部２２の頭頂部である。折り返し部２３ｃ・２３ｄは上部２１から折り返された部分である。折り返し部２３ａと、折り返し部２３ｂとは、互いに対向し、開口部２１ａの長手方向の縁に配置され、当該開口部２１ａの長手方向に延伸する。折り返し部２３ｃと、折り返し部２３ｄとは、互いに対向し、開口部２１ａの短手方向の縁に配置され、当該開口部２１ａの短手方向に延伸する。
【００３４】
このように開口部２１ａの縁は、折り返し部２３ａ〜２３ｄによって、断面が、シリコーンゴム１０の上部１１に近づく方向（上方に向かう方向）に突出する湾曲した形状となる。これにより、シリコーンゴム１０を開口部２１ａの縁から保護することができる。このため、ユーザに押圧されたキートップ３が、枠体２０の上部２１に形成された開口部２１ａを通して、シリコーンゴム１０の上部１１を介してキースイッチ４を押圧する際に、撓んだシリコーンゴム１０の上部１１が、開口部２１ａの縁によって破れるなど、破損してしまうことを防止することができる。
【００３５】
〔実施形態２〕
本発明の実施形態２について、図７に基づいて説明すれば、以下のとおりである。なお、説明の便宜上、前記実施形態１にて説明した部材と同じ機能を有する部材については、同じ符号を付記し、その説明を省略する。
【００３６】
図７は、本発明の実施形態２に係るキー構造体９Ａの構成を表す断面図である。図７に示すように、キー構造体９Ａは、キー構造体９（図１等参照）のうち、枠体２０に換えて枠体２０Ａを備える構成である。キー構造体９Ａの他の構成はキー構造体９と同様である。
【００３７】
枠体２０Ａの頭頂部は、折り返された構造ではなく、側部２２から内側へ屈曲され、折り返しの途中で切断され、当該切断されたエッジである切断面が、開口部２１ａの縁となっている。このような枠体２０Ａを備えるキー構造体９Ａによっても、薄型化されたキー構造体を得ることができる。
【００３８】
〔実施形態３〕
本発明の実施形態３について、図８に基づいて説明すれば、以下のとおりである。なお、説明の便宜上、前記実施形態１、２にて説明した部材と同じ機能を有する部材については、同じ符号を付記し、その説明を省略する。
【００３９】
図８は、本発明の実施形態３に係るキー構造体９Ｂのシリコーンゴム及び枠体の構成を表す平面図である。なお、図８では、キートップ３及びキースイッチ４の図示は省略している。
【００４０】
図８に示すように、キー構造体９Ｂは、キー構造体９（図１等参照）のうち、シリコーンゴム１０及び枠体２０に換えて、シリコーンゴム１０Ｂ及び枠体２０Ｂを備える構成である。キー構造体９Ｂの他の構成はキー構造体９と同様である。
【００４１】
シリコーンゴム１０Ｂは、天井である上部１１Ｂと、板状の基部１５Ｂと、基部１５Ｂから起立し上部１１Ｂを支持する側部１２Ｂと、側部１２Ｂから突出する凸部１３Ｂとを備えている。
【００４２】
枠体２０Ｂは、シリコーンゴム１０Ｂの内部に配置されている。枠体２０Ｂは、天井である上部２１Ｂと、板状の基部２５Ｂと、基部２５Ｂから起立し上部２１Ｂを支持する側部２２Ｂとを備えている。上部２１Ｂは、シリコーンゴム１０Ｂの上部１１Ｂ内に配置されており、基部２５Ｂはシリコーンゴム１０Ｂの基部１５Ｂ内に配置されており、側部２２Ｂはシリコーンゴム１０Ｂの側部１２Ｂ内に配置されている。
【００４３】
上部１１Ｂ・２１Ｂは、楕円形状ではなく、長方形状である。上部１１Ｂ・２１Ｂの４つの角は直角ではなく湾曲した形状であり、Ｒ（アール）を大きくとる必要がある。
【００４４】
枠体２０Ｂの側部２２Ｂは、長辺方向に延伸し互いに対向する第１側部２２Ｂａ及び第２側部２２Ｂｂと、短辺方向に延伸し互いに対向する第３側部２２Ｂｃ及び第４側部２２Ｂｄを備えている。
【００４５】
枠体２０Ｂの上部２１Ｂには、開口部２１ａが形成されている。枠体２０Ｂは、開口部２１ａの縁を構成し、板状部材が折り返された折り返し部２３Ｂａ〜２３Ｂｄを有している。
【００４６】
折り返し部２３Ｂａ・２３Ｂｂは、それぞれ側部２２Ｂａ・２２Ｂｂの頭頂部である。折り返し部２３Ｂｃ・２３Ｂｄは上部２１Ｂから折り返された部分である。折り返し部２３Ｂａと、折り返し部２３Ｂｂとは、互いに対向し、開口部２１ａの長手方向の縁に配置され、当該開口部２１ａの長手方向に延伸する。折り返し部２３Ｂｃと、折り返し部２３Ｂｄとは、互いに対向し、開口部２１ａの短手方向の縁に配置され、当該開口部２１ａの短手方向に延伸する。このように開口部２１ａの縁は、折り返し部２３Ｂａ〜２３Ｂｄによって、断面が湾曲した形状となる。
【００４７】
このようなキー構造体９Ｂであっても、薄型化したキー構造体を得ることができる。
【００４８】
〔実施形態４〕
本発明の実施形態４について、図９に基づいて説明すれば、以下のとおりである。なお、説明の便宜上、前記実施形態１〜３にて説明した部材と同じ機能を有する部材については、同じ符号を付記し、その説明を省略する。
【００４９】
図９は、本発明の実施形態４に係るキー構造体９Ｃのシリコーンゴム及び枠体の構成を表す平面図である。図９では、キートップ３及びキースイッチ４の図示は省略している。
【００５０】
図９に示すように、キー構造体９Ｃは、キー構造体９（図１等参照）のうち、シリコーンゴム１０及び枠体２０に換えて、シリコーンゴム１０Ｃ及び枠体２０Ｃを備える構成である。キー構造体９Ｃの他の構成はキー構造体９と同様である。
【００５１】
シリコーンゴム１０Ｃは、天井である上部１１Ｃと、板状の基部１５Ｃと、基部１５Ｃから起立し上部１１Ｃを支持する側部１２Ｃと、側部１２Ｃから突出する凸部１３Ｃとを備えている。
【００５２】
枠体２０Ｃは、シリコーンゴム１０Ｃの内部に配置されている。枠体２０Ｃは、天井である上部２１Ｃと、板状の基部２５Ｃと、基部２５ｃから起立し上部２１Ｃを支持する側部２２Ｃとを備えている。上部２１Ｃは、シリコーンゴム１０Ｃの上部１１Ｃ内に配置されており、基部２５Ｃはシリコーンゴム１０Ｃの基部１５Ｃ内に配置されており、側部２２Ｃはシリコーンゴム１０Ｃの側部１２Ｃ内に配置されている。
【００５３】
上部１１Ｃ・２１Ｃは、長方形状である。上部１１Ｃ・２１Ｃの４つの角のうち２つの角は直角ではなく湾曲した形状であり、Ｒ（アール）を大きくとる必要がある。上部１１Ｃ・２１Ｃの４つの角のうち他の２つの角は直角である。なお、この他の２つの角を湾曲した形状としてもよい。
【００５４】
枠体２０Ｃの側部２２Ｃは、四角形である上部２１Ｃにおける３辺を支持し、他の１辺を支持する側部が省略された構成である。枠体２０Ｃは、上部２１Ｃの長辺方向に延伸し互いに対向する第１側部２２Ｃａ及び第２側部２２Ｃｂと、上部２１Ｃの短辺方向に延伸する第３側部２２Ｃｃを備えている。この第３側部２２Ｃｃと対向する領域に枠体２０Ｃの側部は配されていない。
【００５５】
すなわち、枠体２０Ｃは、第１側部２２Ｃａ及び第２側部２２Ｃｂそれぞれの両端部のうち、第３側部２２Ｃｃと接続されている一方の端部間とは逆側の他方の端部間であって、上部２１Ｃ及び基部２５Ｃに囲まれた領域には開口部２２Ｃｄが形成されている。
【００５６】
なお、シリコーンゴム１０Ｃの側部１２Ｃは、四角形である上部１１Ｃにおける４辺とも支持するように配置されている。すなわち、シリコーンゴム１０Ｃの側部１２Ｃのうち、上部１１Ｃの短手方向に延伸する一の側部にだけ、枠体２０Ｃの側部が配置されていない構成である。
【００５７】
このように、シリコーンゴム１０Ｃの側部１２Ｃは、キースイッチ４の側方を囲っており、上部１１Ｃによって、キースイッチ４の上方を覆っている。
【００５８】
枠体２０Ｃの上部２１Ｃには、開口部２１ａが形成されている。枠体２０Ｃは、開口部２１ａの縁を構成し、板状部材が折り返された折り返し部２３Ｃａ〜２３Ｃｄを有している。
【００５９】
折り返し部２３Ｃａ・２３Ｃｂは、それぞれ側部２２Ｃａ・２２Ｃｂの頭頂部である。折り返し部２３Ｃｃ・２３Ｃｄは上部２１Ｃから折り返された部分である。折り返し部２３Ｃａと、折り返し部２３Ｃｂとは、互いに対向し、開口部２１ａの長手方向の縁に配置され、当該開口部２１ａの長手方向に延伸する。折り返し部２３Ｃｃと、折り返し部２３Ｃｄとは、互いに対向し、開口部２１ａの短手方向の縁に配置され、当該開口部２１ａの短手方向に延伸する。このように開口部２１ａの縁は、折り返し部２３Ｃａ〜２３Ｃｄによって、断面が湾曲した形状となる。
【００６０】
このようなキー構造体９Ｃであっても、薄型化したキー構造体を得ることができる。
【００６１】
〔実施形態５〕
本発明の実施形態５について、図１０に基づいて説明すれば、以下のとおりである。なお、説明の便宜上、前記実施形態１〜４にて説明した部材と同じ機能を有する部材については、同じ符号を付記し、その説明を省略する。
【００６２】
図１０は、本発明の実施形態５に係るキー構造体９Ｄのシリコーンゴム及び枠体の構成を表す平面図である。なお、図１０では、キートップ３及びキースイッチ４の図示は省略している。
【００６３】
図１０に示すように、キー構造体９Ｄは、キー構造体９（図１等参照）のうち、シリコーンゴム１０及び枠体２０に換えて、シリコーンゴム１０Ｄ及び枠体２０Ｄを備える構成である。キー構造体９Ｄの他の構成はキー構造体９と同様である。
【００６４】
シリコーンゴム１０Ｄは、天井である上部１１Ｄと、板状の基部１５Ｄと、基部１５Ｄから起立し上部１１Ｄを支持する側部１２Ｄと、側部１２Ｄから突出する凸部１３Ｄとを備えている。
【００６５】
枠体２０Ｄは、シリコーンゴム１０Ｄの内部に配置されている。枠体２０Ｄは、天井である上部２１Ｄと、板状の基部２５Ｄと、基部２５Ｄから起立し上部２１Ｄを支持する側部２２Ｄとを備えている。上部２１Ｄは、シリコーンゴム１０Ｄの上部１１Ｄ内に配置されており、基部２５Ｄはシリコーンゴム１０Ｄの基部１５Ｄ内に配置されており、側部２２Ｄはシリコーンゴム１０Ｄの側部１２Ｄ内に配置されている。
【００６６】
上部１１Ｄ・２１Ｄは、長方形状である。上部１１Ｃ・２１Ｃの４つの角は直角である。なお、上部１１Ｃ・２１Ｃの４つの角を直角ではなく、Ｒ（アール）が大きい湾曲した形状としてもよい。
【００６７】
枠体２０Ｄの側部２２Ｄは、四角形である上部２１Ｄにおける２辺を支持し、他の２辺を支持する側部が省略された構成である。枠体２０Ｄは、上部２１Ｄの長辺方向に延伸し互いに対向する第１側部２２Ｄａ及び第２側部２２Ｄｂとを備えている。
【００６８】
枠体２０Ｄにおいては、第１側部２２Ｄａ及び第２側部２２Ｄｂの両端部間にはそれぞれ側部が配置されていない。
【００６９】
すなわち、枠体２０Ｄは、第１側部２２Ｄａ及び第２側部２２Ｄｂそれぞれの両端部、上部２１Ｄ及び基部２５Ｄに囲まれた領域には開口部２２Ｄｃ・２２Ｄｄが形成されている。
【００７０】
なお、シリコーンゴム１０Ｄの側部１２Ｄは、四角形である上部１１Ｄにおける４辺とも支持するように配置されている。すなわち、シリコーンゴム１０Ｄの側部１２Ｄのうち、上部１１Ｄの短手方向に延伸する２個の側部に、枠体２０Ｄの側部が配置されていない構成である。
【００７１】
このように、シリコーンゴム１０Ｄの側部１２Ｄは、キースイッチ４の側方を囲っており、上部１１Ｄによって、キースイッチ４の上方を覆っている。
【００７２】
枠体２０Ｄの上部２１Ｄには、開口部２１ａが形成されている。枠体２０Ｄは、開口部２１ａの縁を構成し、板状部材が折り返された折り返し部２３Ｄａ〜２３Ｄｄを有している。
【００７３】
折り返し部２３Ｄａ・２３Ｄｂは、それぞれ側部２２Ｄａ・２２Ｄｂの頭頂部である。折り返し部２３Ｄｃ・２３Ｄｄは上部２１Ｄから折り返された部分である。折り返し部２３Ｄａと、折り返し部２３Ｄｂとは、互いに対向し、開口部２１ａの長手方向の縁に配置され、当該開口部２１ａの長手方向に延伸する。折り返し部２３Ｄｃと、折り返し部２３Ｄｄとは、互いに対向し、開口部２１ａの短手方向の縁に配置され、当該開口部２１ａの短手方向に延伸する。このように開口部２１ａの縁は、折り返し部２３Ｄａ〜２３Ｄｄによって、断面が湾曲した形状となる。
【００７４】
このようなキー構造体９Ｄであっても、薄型化したキー構造体を得ることができる。
【００７５】
〔まとめ〕
本発明の態様１に係るキー構造体９は、電子機器（スマートフォン１）の筐体２に形成されたキー用貫通孔６に挿入されるキー構造体９であって、上記筐体２内であって、上記キー用貫通孔６の下方に配置されたキースイッチ４と、上記キースイッチ４の上方を覆う板状の上部１１を含む弾性部材（シリコーンゴム１０）と、上記キー用貫通孔６に挿通され、上記上部１１を直接押圧することで、当該上部１１を介して上記キースイッチ４を押圧するキートップ３とを備えていることを特徴とする。
【００７６】
上記構成によると、上記キートップは、上記上部１１を直接押圧することで、当該上部１１を介して上記キースイッチ４を押圧する。このように、キートップと、キースイッチとの間に押し子を配置せず、キートップは、板状の上部を介してキースイッチを押圧する構成であるため、キー構造を薄型化することができる。
【００７７】
本発明の態様２に係るキー構造体９は、上記態様１において、上記弾性部材（シリコーンゴム１０）は、上記上部１１を支持すると共に、上記キースイッチ４の側方を囲む側部１２を含んでいてもよい。上記構成によると、上記キースイッチは、上方を上記上部に覆われ、側方を上記側部に囲まれる。このため、上記キースイッチを防水することができる。
【００７８】
本発明の態様３に係るキー構造体９は、上記態様１又は２において、上記弾性部材（シリコーンゴム１０）の内部には、当該弾性部材（シリコーンゴム１０）の形状を保持するための芯部材（枠体２０）が配置されていてもよい。これにより、上記弾性部材の形状が保持される。
【００７９】
本発明の態様４に係るキー構造体９は、上記態様３において、上記芯部材（枠体２０）は、上記弾性部材（シリコーンゴム１０）の上記上部１１内に配置されている当該芯部材（枠体２０）の上部２１を有し、上記芯部材（枠体２０）の上部２１には、開口部２１ａが形成されていてもよい。
【００８０】
上記構成によると、上記芯部材の上部に形成された開口部を通して、上記キートップは、上記弾性部材の上部を介して上記キースイッチを押圧することができる。このため、上記弾性部材の形状を上記芯部材によって保持しつつ、上記キートップは、上記上部を介して上記キースイッチを押圧することができる。
【００８１】
本発明の態様５に係るキー構造体９は、上記態様４において、上記開口部２１ａは、上記キートップ３よりも面積が大きく、上記キートップ３は、上記開口部２１ａと重なる位置に配置されていてもよい。上記構成によると、上記芯部材の上部に形成された開口部を通して、上記キートップは、上記弾性部材の上部を介して上記キースイッチを押圧することができる。
【００８２】
本発明の態様６に係るキー構造体９は、上記態様４又は５において、上記芯部材の上記上部は、楕円形状であってもよい。
【００８３】
本発明の態様７に係るキー構造体９Ｂは、上記態様３〜５において、上記芯部材の上記上部を支持する側部は、長辺方向に延伸し互いに対向する第１側部及び第２側部と、短辺方向に延伸し互いに対向する第３側部及び第４側部を有していてもよい。
【００８４】
本発明の態様８に係るキー構造体９Ｃは、上記態様３〜５において、上記芯部材の上記上部を支持する側部は、長辺方向に延伸し互いに対向する第１側部及び第２側部と、短辺方向に延伸する第３側部とを有し、当該第３側部と対向する領域には、当該上記芯部材が配置されていなくてもよい。
【００８５】
本発明の態様９に係るキー構造体９Ｄは、上記態様３〜５において、上記芯部材の側部は、長辺方向に延伸し互いに対向する第１側部及び第２側部を有し、上記第１側部及び第２側部の両端部間にはそれぞれ上記芯部材が配置されていなくてもよい。
【００８６】
本発明の態様１０に係るキー構造体９は、上記態様４又は５において、上記芯部材（枠体２０）における上記開口部２１ａの縁は、断面が、上記弾性部材（シリコーンゴム１０）の上記上部１１に近づく方向に突出する湾曲した形状であってもよい。これにより、上記弾性部材を、上記開口部の縁から保護することができ、当該弾性部材が破損してしまうことを防止することができる。
【００８７】
本発明の態様１１に係る電子機器（スマートフォン１）は、上記態様１〜１０において、上記キー構造体９を有することが好ましい。上記構成により、薄型化した電子機器を得ることができる。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８９】
１  スマートフォン（電子機器）
２  筐体
３  キートップ
４  キースイッチ
４ａ  スイッチ部
６  キー用貫通孔
７  ピン
８  キーホルダ
９、９Ａ〜９Ｄ  キー構造体
１０、１０Ｂ〜１０Ｄ  シリコーンゴム
１１、１１Ｂ〜１１Ｄ  上部
１２、１２Ｂ〜１２Ｄ  側部
１３、１３Ｂ〜１３Ｄ  凸部
１５、１５Ｂ〜１５Ｄ  基部
２１、２１Ｂ〜２１Ｄ  上部
２２、２２Ｂ〜２２Ｄ  側部
２５、２５Ｂ〜２５Ｄ  基部
２０、２０Ａ〜２０Ｄ  枠体（芯部材）
２１ａ  開口部
２２Ｃｄ、２２Ｄｃ・２２Ｄｄ  開口部
２２Ｂａ、２２Ｃａ、２２Ｄａ  第１側部
２２Ｂｂ、２２Ｃｂ、２２Ｄｂ  第２側部
２２Ｂｃ、２２Ｃｃ  第３側部
２２Ｂｄ  第４側部
【図１】
2017208199.tif 000003
【図２】
2017208199.tif 000004
【図３】
2017208199.tif 000005
【図４】
2017208199.tif 000006
【図５】
2017208199.tif 000007
【図６】
2017208199.tif 000008
【図７】
2017208199.tif 000009
【図８】
2017208199.tif 000010
【図９】
2017208199.tif 000011
【図１０】
2017208199.tif 000012